【手続補正書】
【提出日】平成20年8月12日(2008.8.12)
【手続補正１】
【補正対象書類名】特許請求の範囲
【補正対象項目名】全文
【補正方法】変更
【補正の内容】
【特許請求の範囲】
【請求項１】
印刷装置と通信して、記録媒体に記録される画像を前記印刷装置に印刷させる画像処理装置であって、
前記印刷装置における印刷プレビューを表示するための表示手段であって、簡易プレビュー画面または詳細プレビュー画面を表示するための表示手段と、
前記表示手段に前記簡易プレビュー画面を表示させるかまたは前記詳細プレビュー画面を表示させるかを印刷に関する設定情報に従って決定する決定手段とを有することを特徴とする画像処理装置。
【請求項２】
前記決定手段は、画像処理パラメータに応じて、前記簡易プレビュー画面を表示させるかまたは前記詳細プレビュー画面を表示させるかを決定することを特徴とする請求項１に記載の画像処理装置。
【請求項３】
前記決定手段は、画像処理がＯＮに設定されている場合は前記詳細プレビュー画面を表示させると決定し、画像処理がＯＦＦに設定されている場合は前記簡易プレビュー画面を表示させると決定することを特徴とする請求項２に記載の画像処理装置。
【請求項４】
前記決定手段は、印刷パラメータに応じて、前記簡易プレビュー画面を表示させるかまたは前記詳細プレビュー画面を表示させるかを決定することを特徴とする請求項１に記載の画像処理装置。
【請求項５】
プレビュー画面を表示するための指示を入力するプレビュー指示手段を有し、
前記表示手段は、前記プレビュー指示手段によりプレビュー画面表示の指示が入力されたことに応じて、前記決定手段により決定されたプレビュー画面を表示することを特徴とする請求項１乃至４のいずれか１項に記載の画像処理装置。
【請求項６】
前記簡易プレビュー画面から前記詳細プレビュー画面に変更するためのアイコンを前記簡易プレビュー画面中に表示させ、前記詳細プレビュー画面から前記簡易プレビュー画面に変更するためのアイコンを前記詳細画面中に表示させる表示制御手段を有することを特徴とする請求項１乃至５のいずれか１項に記載の画像処理装置。
【請求項７】
前記簡易プレビュー画面を表示する場合は、前記印刷装置から印刷レイアウト情報を取得し、取得した印刷レイアウト情報に基づいて、前記簡易プレビュー画面を生成して前記表示手段に表示する第１の制御手段を有することを特徴とする請求項１乃至６のいずれか１項に記載の画像処理装置。
【請求項８】
前記詳細プレビュー画面を表示する場合は、前記印刷装置から前記印刷装置が生成したプレビュー画面を受信し、受信したプレビュー画面に基づいて詳細プレビュー画面を表示する第２の制御手段を有することを特徴とする請求項１乃至７のいずれか１項に記載の画像処理装置。
【請求項９】
前記第２の制御手段は、印刷パラメータと共にプレビュー画面取得命令を前記印刷装置に送信し、その応答として前記印刷装置が生成したプレビュー画面を受信することを特徴とする請求項８に記載の画像処置装置。
【請求項１０】
印刷装置によって記録媒体に記録される画像のレイアウトを印刷プレビューとして表示手段に表示するレイアウト表示方法であって、
前記表示手段に印刷プレビューを表示するための表示工程であって、簡易プレビュー画面または詳細プレビュー画面を表示するための表示工程と、
前記表示工程で前記表示手段に前記簡易プレビュー画面を表示させるかまたは詳細プレビュー画面を表示させるかを、印刷に関する設定情報に従って決定する決定工程とを有することを特徴とするレイアウト表示方法。
【請求項１１】
前記決定工程では、画像処理パラメータに応じて、前記簡易プレビュー画面を表示させるかまたは前記詳細プレビュー画面を表示させるかを決定することを特徴とする請求項１０に記載のレイアウト表示方法。
【請求項１２】
前記決定工程では、画像処理がＯＮに設定されている場合は前記詳細プレビュー画面を表示させると決定し、画像処理がＯＦＦに設定されている場合は前記簡易プレビュー画面を表示させると決定することを特徴とする請求項１１に記載のレイアウト表示方法。
【請求項１３】
前記決定工程では、印刷パラメータに応じて、前記簡易プレビュー画面を表示させるかまたは前記詳細プレビュー画面を表示させるかを決定することを特徴とする請求項１０に記載のレイアウト表示方法。
【請求項１４】
プレビュー画面を表示するための指示を入力するプレビュー指示工程を有し、
前記表示工程では、前記プレビュー指示手段によりプレビュー画面表示の指示が入力されたことに応じて、前記決定手段により決定されたプレビュー画面を前記表示手段に表示することを特徴とする請求項１０乃至１３のいずれか１項に記載のレイアウト表示方法。
【請求項１５】
前記簡易プレビュー画面から前記詳細プレビュー画面に変更するためのアイコンを前記簡易プレビュー画面中に表示させ、前記詳細プレビュー画面から前記簡易プレビュー画面に変更するためのアイコンを前記詳細画面中に表示させる表示制御工程を有することを特徴とする請求項１０乃至１４のいずれか１項に記載のレイアウト表示方法。
【請求項１６】
前記印刷装置と通信して、記録媒体に記録される画像を前記印刷装置に印刷させる画像処理装置が、前記簡易プレビュー画面を表示する場合に、前記印刷装置から印刷レイアウト情報を取得し、取得した印刷レイアウト情報に基づいて、前記簡易プレビュー画面を生成して前記表示手段に表示する第１の制御工程を有することを特徴とする請求項１０乃至１５のいずれか１項に記載のレイアウト表示方法。
【請求項１７】
前記画像処理装置が、前記詳細プレビュー画面を表示する場合に、前記印刷装置から前記印刷装置が生成したプレビュー画面を受信し、受信したプレビュー画面に基づいて詳細プレビュー画面を表示する第２の制御工程を有することを特徴とする請求項１０乃至１６のいずれか１項に記載のレイアウト表示方法。
【請求項１８】
前記第２の制御工程では、前記画像処理装置から印刷パラメータと共にプレビュー画面取得命令を前記印刷装置に送信し、前記画像処理装置がその応答として前記印刷装置が生成したプレビュー画面を受信することを特徴とする請求項１７に記載のレイアウト表示方法。
【手続補正２】
【補正対象書類名】明細書
【補正対象項目名】発明の名称
【補正方法】変更
【補正の内容】
【発明の名称】レイアウト表示方法及び画像処理装置
【手続補正３】
【補正対象書類名】明細書
【補正対象項目名】０００１
【補正方法】変更
【補正の内容】
【０００１】
本発明はレイアウト表示方法及び画像処理装置に関する。特に、記憶媒体から画像データを読出し、所望の印刷パラメータ(用紙サイズ、印刷レイアウト等)と共に画像印刷装置に送信して画像を印刷する印刷システムにおけるレイアウト表示方法及び該印刷システムの画像処理装置に関する。
【手続補正４】
【補正対象書類名】明細書
【補正対象項目名】０００８
【補正方法】変更
【補正の内容】
【０００８】
本発明は、上記従来の問題点に鑑み、迅速なプレビュー表示が可能なレイアウト表示方法及び画像処理装置を提供する。
【手続補正５】
【補正対象書類名】明細書
【補正対象項目名】０００９
【補正方法】変更
【補正の内容】
【０００９】
又、使用者の指示により、正確なプレビュー表示が可能なレイアウト表示方法及び画像処理装置を提供する。
【手続補正６】
【補正対象書類名】明細書
【補正対象項目名】００１０
【補正方法】変更
【補正の内容】
【００１０】
又、装置の判断により、迅速なプレビュー表示と正確なプレビュー表示を決定するレイアウト表示方法及び画像処理装置を提供する。
【手続補正７】
【補正対象書類名】明細書
【補正対象項目名】００１１
【補正方法】変更
【補正の内容】
【００１１】
かかる課題を解決するために、本発明の画像処理装置は、印刷装置と通信して、記録媒体に記録される画像を前記印刷装置に印刷させる画像処理装置であって、前記印刷装置における印刷プレビューを表示するための表示手段であって、簡易プレビュー画面または詳細プレビュー画面を表示するための表示手段と、前記表示手段に前記簡易プレビュー画面を表示させるかまたは前記詳細プレビュー画面を表示させるかを印刷に関する設定情報に従って決定する決定手段とを有することを特徴とする。
【手続補正８】
【補正対象書類名】明細書
【補正対象項目名】００１２
【補正方法】変更
【補正の内容】
【００１２】
又、本発明のレイアウト表示方法は、印刷装置によって記録媒体に記録される画像のレイアウトを印刷プレビューとして表示手段に表示するレイアウト表示方法であって、前記表示手段に印刷プレビューを表示するための表示工程であって、簡易プレビュー画面または詳細プレビュー画面を表示するための表示工程と、前記表示工程で前記表示手段に前記簡易プレビュー画面を表示させるかまたは詳細プレビュー画面を表示させるかを、印刷に関する設定情報に従って決定する決定工程とを有することを特徴とする。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】変更
【補正の内容】
【００２０】
本発明により、迅速なプレビュー表示が可能なレイアウト表示方法及び画像処理装置を提供できる。
【手続補正１７】
【補正対象書類名】明細書
【補正対象項目名】００２１
【補正方法】変更
【補正の内容】
【００２１】
又、使用者の指示により、正確なプレビュー表示が可能なレイアウト表示方法及び画像処理装置を提供できる。
【手続補正１８】
【補正対象書類名】明細書
【補正対象項目名】００２２
【補正方法】変更
【補正の内容】
【００２２】
又、装置の判断により、迅速なプレビュー表示と正確なプレビュー表示を決定するレイアウト表示方法及び画像処理装置を提供できる。